(57)【要約】【課題】  塗装工事中の家屋を雨雪から守ることができる家屋被覆シートを提供する。【解決手段】  家屋１００の塗装工事現場に立設された足場１０１に取り付けられて家屋１００の上方に展張されて塗装工事中の家屋１００を雨雪から守る家屋被覆シート１０であって、被覆シート本体部１１と、被覆シート本体部１１の隅部１２、１２、１２、１２に設けられ、足場１０１の上端部１０２に着脱可能に固定される固定部１３、１３、１３、１３とを備えている。【選択図】  図１
0003197548.tif 000002
【実用新案登録請求の範囲】
【請求項１】
家屋の塗装工事現場に立設された足場に取り付けられて前記家屋の上方に展張されて塗装工事中の前記家屋を雨雪から守る家屋被覆シートであって、被覆シート本体部と、前記被覆シート本体部の隅部に設けられ、前記足場の上端部に着脱可能に固定される固定部とを備えたことを特徴とする家屋被覆シート。
【請求項２】
前記固定部は、前記被覆シート本体部の隅部に開口された孔部として形成され、前記家屋に垂直に立設された足場を構成する柱状足場部材に挿通しうることを特徴とする請求項１記載の家屋被覆シート。
【請求項３】
前記被覆シート本体部の複数の隅部には、夫々、孔部が開設され、隣接する前記孔部は、前記家屋の一方側に垂直に立設された足場を構成する一の柱状足場部材と前記一の柱状足場部材に隣接する他の柱状足場部材との間隔と略同一の幅寸法に開設されていることを特徴とする請求項２記載の家屋被覆シート。
【請求項４】
互いに接合可能な複数枚の方形状のシートからなることを特徴とする請求項１記載の家屋被覆シート。
【請求項５】
前記家屋の一方側に垂直に立設された足場を構成する第一の柱状足場部材は、前記家屋の他方側に垂直に立設された足場を構成する第二の柱状足場部材と同じ高さであって、前記第一の柱状足場部材と前記第二の柱状足場部材との間に略水平な状態で展張されることを特徴とする請求項１記載の家屋被覆シート。
【請求項６】
前記家屋の一方側に垂直に立設された足場を構成する第一の柱状足場部材は、前記家屋の他方側に垂直に立設された足場を構成する第二の柱状足場部材よりも高く形成されると共に、前記第一の柱状足場部材と前記第二の柱状足場部材との間に傾斜した状態で展張されることを特徴とする請求項１記載の家屋被覆シート。
【請求項７】
透明な合成樹脂製であることを特徴とする請求項１記載の家屋被覆シート。
【考案の詳細な説明】
【技術分野】
【０００１】
本考案は、家屋の塗装工事現場に立設された足場に取り付けられて前記家屋の上方に展張されて塗装工事中の前記家屋を雨雪から守る家屋被覆シートに関するものである。
【背景技術】
【０００２】
一般に、家屋の塗装工事は、足場の組立てから、洗浄、下塗り、上塗り、足場の解体まで、多数の工程を有している。作業日数としては平均１〜２週間であるが、塗装工事の作業は特に天候に左右されやすく、雨の日が多い場合には日数が伸びてしまうという問題点を有していた。
【０００３】
従って、雨天時でも作業ができるように塗装工事現場全体を覆う必要があるという観点から、本件実用新案登録出願人は先行技術調査を行い、下記特許文献１〜５を発見した。例えば、特許文献１には、外部足場の中央部となる建物建築予定地に立設する足場タワーの上端部若しくはその近傍に装着する屋根部を形成する連結具であって、前記外部足場のコーナー部及び／又は直線部と連結するための連結部材を具備したことを特徴とする仮設足場の屋根部を形成する連結具が開示されている。
【０００４】
また、特許文献２及び３には、外部足場の内周に間隔付けて固定したブラケットと、該ブラケットに固定した足場内周のパイプと、該パイプに吊り下げ固定された吊り具とを具備してなり、該吊り具は、パイプに吊り下げ固定され且つ足場内周全域に配設されたレール部と、該レール部に走行し得るように保持された走行部と、該走行部に吊り下げられたウインチとを具備したことを特徴とする建物周囲を周回する吊り具が開示されている。
【０００５】
また、特許文献４には、建造物を挟んで向かい合わせに組まれた平行な作業用足場の上端に敷設したレールと、それら各レールに沿って摺動自在なブラケットを介し、起立維持される複数のアーチ状のスパンと、それらスパンの隣接した組同士の各左右傾斜部相互を夫々独立して連結するＸ状リンクとで形成された幌枠と、その幌枠に縛着された幌布とから成り、前記作業用足場間に、各スパンが作業用足場を跨いた状態に架設し、スパンを前記レールに沿って移動することにより折り畳み可能とした伸縮幌が開示されている。
【０００６】
また、特許文献５には、平面空間の対をなす平行縁に沿って、夫々支持レールが架設され、該夫々の支持レールには該レール周囲側面を挟む位置に互いに対向させて主ロール及び補助ロールとを設けた頑丈な基板から成る支持ブロックが多数、夫々のレール上に沿って移動可能に取付けられ、前記平面空間を挟んで相互に対をなす前記支持ブロック間には一定張力を付与されたロープが、基板に設けた取付部材を介して夫々張り渡されており、該ロープ上には、ロープとの固定位置を一定間隔として、前記平面空間前面を覆い得る広さの防水布が取付けられて成ることを特徴とするテント張り構造が開示されている。
【０００７】
しかしながら、特許文献１〜５に記載の技術にあっては、何れも大掛かりで、かつ、重い部材を有している装置であるため、塗装工事を行う一般的な住宅に設置して使用することは、設置するためのコストがかかると共に、周囲に対して危険が伴うという不具合があった。
さらに、塗装工事においては、家屋を被覆するものに塗料が付着する可能性が高いため、洗浄が容易であるか、又は使い捨てが可能であることが望まれるが、特許文献１〜５に記載の技術にあっては、前記要請を充足するものではなかった。
【特許文献１】特開２００３−５６１７７号公報
【特許文献２】特開２００３−４１７６８号公報
【特許文献３】特開２００３−１３６０６号公報
【特許文献４】特開２０００−１９９７号公報
【特許文献５】実開昭６２−１８９４４５号公報
【考案の開示】
【考案が解決しようとする課題】
【０００８】
本考案は、以上のような従来からの不具合を解決するためのものであって、その課題は、塗装工事中の家屋を雨雪から守ることができる家屋被覆シートを提供することにある。
【課題を解決するための手段】
【０００９】
前記課題を解決するために、請求項１に記載の考案にあっては、家屋の塗装工事現場に立設された足場に取り付けられて前記家屋の上方に展張されて塗装工事中の前記家屋を雨雪から守る家屋被覆シートであって、被覆シート本体部と、前記被覆シート本体部の隅部に設けられ、前記足場の上端部に着脱可能に固定される固定部とを備えたことを特徴とする。
【００１０】
従って、前記固定部が前記足場の上端部に固定された場合には、前記被覆シート本体部が前記家屋の上方に展張される。
【００１１】
請求項２に記載の考案にあっては、前記固定部は、前記被覆シート本体部の隅部に開口された孔部として形成され、前記家屋に垂直に立設された足場を構成する柱状足場部材に挿通しうることを特徴とする。
【００１２】
従って、前記固定部を前記柱状足場部材に挿通させた場合には、前記被覆シート本体部が前記足場に固定される。
【００１３】
請求項３に記載の考案にあっては、前記被覆シート本体部の複数の隅部には、夫々、孔部が開設され、隣接する前記孔部は、前記家屋の一方側に垂直に立設された足場を構成する一の柱状足場部材と前記一の柱状足場部材に隣接する他の柱状足場部材との間隔と略同一の幅寸法に開設されていることを特徴とする。
【００１４】
従って、前記被覆シート本体部は、前記一の柱状足場部材と前記一の柱状足場部材に隣接する他の柱状足場部材との間に跨設して固定される。
【００１５】
請求項４に記載の考案にあっては、互いに接合可能な複数枚の方形状のシートからなることを特徴とする。
【００１６】
従って、前記複数枚の方形状のシートを接合して前記家屋被覆シートを構成しうる。
【００１７】
請求項５に記載の考案にあっては、前記家屋の一方側に垂直に立設された足場を構成する第一の柱状足場部材は、前記家屋の他方側に垂直に立設された足場を構成する第二の柱状足場部材と同じ高さであって、前記第一の柱状足場部材と前記第二の柱状足場部材との間に略水平な状態で展張されることを特徴とする。
【００１８】
従って、前記固定部が前記柱状足場部材の上端部に固定された場合には、前記被覆シート本体部が前記家屋の上方に略水平な状態で展張される。
【００１９】
請求項６に記載の考案にあっては、前記家屋の一方側に垂直に立設された足場を構成する第一の柱状足場部材は、前記家屋の他方側に垂直に立設された足場を構成する第二の柱状足場部材よりも高く形成されると共に、前記第一の柱状足場部材と前記第二の柱状足場部材との間に傾斜した状態で展張されることを特徴とする。
【００２０】
従って、前記固定部が前記柱状足場部材の上端部に固定された場合には、前記被覆シート本体部が前記家屋の上方に傾斜した状態で展張される。
【００２１】
請求項７に記載の考案にあっては、透明な合成樹脂製であることを特徴とする。
【考案の効果】
【００２２】
請求項１、５及び６に記載の家屋被覆シートにあっては、前記固定部が前記足場の上端部に固定された場合には、前記被覆シート本体部が前記家屋の上方に展張されるので、塗装工事中の家屋を雨雪から守ることができる。
その結果、天候によらず家屋の塗装工事をすることができる家屋被覆シートを提供することができる。
特に、請求項６に記載の家屋被覆シートにあっては、前記第一の柱状足場部材と前記第二の柱状足場部材との間に傾斜した状態で、前記家屋の上方に展張されるので、その結果、雨や雪が降った場合には、傾斜した状態で展張された前記家屋被覆シートに沿って下方へ流れ落ち、雨や雪が前記家屋被覆シートに溜まるといった事態を防止することができる。
【００２３】
請求項２に記載の家屋被覆シートにあっては、前記固定部を前記柱状足場部材に挿通させた場合には、前記被覆シート本体部が前記足場に固定されるので、前記孔部を前記柱状足場部材に挿通させることで、前記被覆シート本体部を固定し、前記家屋被覆シートを前記家屋の上方に展張することができる。
その結果、塗装工事中の家屋を雨雪から守るにあたり、固定が簡単で、かつ、容易な家屋被覆シートを提供することができる。
【００２４】
請求項３に記載の家屋被覆シートにあっては、前記被覆シート本体部は、前記一の柱状足場部材と前記一の柱状足場部材に隣接する他の柱状足場部材との間に跨設して固定されるので、前記家屋被覆シートを柱状足場部材間に展張することができる。
その結果、家屋の塗装工事現場においては、立設される足場を構成する柱状足場部材間の間隔寸法が労働安全衛生規則で規定されているので、家屋の大きさによらず、あらゆる塗装工事現場において使用することができる家屋被覆シートを提供することができる。
【００２５】
請求項４に記載の家屋被覆シートにあっては、前記複数枚の方形状のシートを接合して前記家屋被覆シートを構成しうるので、家屋の大きさに応じて前記家屋被覆シートの大きさを変更して使用することができる。
【００２６】
請求項７に記載の家屋被覆シートにあっては、透明な合成樹脂製であるので、塗装工事を行う一般的な住宅に設置して使用するにあたり、従来の大掛かりで重い部材を有する装置に比して、低コストで安全に設置できる家屋被覆シートを提供することができる。
また、塗装工事によって前記家屋被覆シートに塗料が付着した場合であっても、請求項７に記載の家屋被覆シートにあっては、合成樹脂製であるため、洗浄が容易である。さらに、場合によっては、低コストであるため、前記家屋被覆シートを使い捨てることが可能となる。
また、さらに、請求項７に記載の家屋被覆シートにあっては、透明であるため、塗装工事において、太陽光が前記家屋被覆シートを透過することによって塗装した色が異なった色合いに見えるといった事態を防止することができる。
【図面の簡単な説明】
【００２７】
【図１】図１（ａ）は、本考案に係る家屋被覆シートにおいて、第一の実施の形態を示す斜視図、図１（ｂ）は第二の実施の形態を示す斜視図である。
【図２】図２（ａ）〜（ｃ）は、本考案に係る家屋被覆シートの一実施の形態において、家屋被覆シートを構成する方形状のシートの平面図である。
【図３】図３は、本考案に係る家屋被覆シートの一実施の形態において、方形状のシートを家屋の一方側及び他方側に固定して家屋全体を被覆するように展張すべく接合した状態を示す平面図である。
【図４】図４は、本考案に係る家屋被覆シートの一実施の形態において、方形状のシートを双方の幅方向に接合した状態を示す平面図である。
【図５】図５は、本考案に係る家屋被覆シートの一実施の形態において、足場の上端部に固定される孔部の拡大斜視図である。
【考案を実施するための最良の形態】
【００２８】
以下、添付図面に示す実施の形態に基づき、本考案を詳細に説明する。
図１（ａ）に示すように、本考案の一実施の形態に係る家屋被覆シート１０は、透明な合成樹脂製であって、家屋１００の塗装工事現場に立設された足場１０１に取り付けられて家屋１００の上方に展張されて塗装工事中の家屋１００を雨雪から守るように構成されている。
また、図１（ａ）に示すように、本実施の形態に係る家屋被覆シート１０は、被覆シート本体部１１と、被覆シート本体部１１の隅部１２、１２、１２、１２に設けられ、足場１０１の上端部１０２に着脱可能に固定される固定部１３、１３、１３、１３とを備えている。
【００２９】
また、図１（ａ）及び図２〜４に示すように、本実施の形態に係る固定部１３、１３・・・は、被覆シート本体部１１の隅部１２、１２・・・に開口された孔部１４、１４・・・として形成され、家屋１００に垂直に立設された足場１０１を構成する柱状足場部材１０３、１０３・・・に挿通しうるように構成されている。
また、図２に示すように、本実施の形態に係る被覆シート本体部１１の複数の隅部１２ａ、１２ａには、夫々、孔部１４、１４が開設され、図１（ａ）に示すように、隣接する孔部１４、１４は、家屋１００の一方側に垂直に立設された足場を構成する一の柱状足場部材１０３ａと一の柱状足場部材１０３ａに隣接する他の柱状足場部材１０３ｂとの間隔Ｌ１と略同一の幅寸法Ｌ２に開設されている。
【００３０】
また、図２〜４に示すように、本実施の形態に係る家屋被覆シート１０は、合成樹脂製であって、平面正方形薄板状に形成され、互いに接合可能な複数枚の方形状のシート１５ａ、１５ｂ、１５ｃ・・・から構成されている。
【００３１】
また、図１（ａ）に示すように、本考案の第一の実施の形態において、家屋１００の一方側に垂直に立設された足場を構成する第一の柱状足場部材１０３、１０３・・・は、家屋１００の他方側に垂直に立設された足場を構成する第二の柱状足場部材１０４、１０４・・・と同じ高さであって、第一の実施の形態に係る家屋被覆シート１０は、第一の柱状足場部材１０３、１０３・・・と第二の柱状足場部材１０４、１０４・・・との間に略水平な状態で展張されている。
【００３２】
本実施の形態に係る家屋被覆シート１０の構成について、添付図面を用いてより詳細に説明する。
図２（ａ）に示すように、本実施の形態に係る第一のシート１５ａは、一辺部側隅部１２ａ、１２ａに、夫々、孔部１４、１４が形成されている。孔部１４、１４間の間隔寸法Ｌ２は、図１（ａ）に示すように、家屋１００の一方側に垂直に立設された足場を構成する一の柱状足場部材１０３ａと一の柱状足場部材１０３ａに隣接する他の柱状足場部材１０３ｂとの間隔寸法Ｌ１と同一の寸法を有している。
また、図２（ａ）及び図３に示すように、第一のシート１５ａの表面部１６において、孔部１４、１４が形成された一辺部１７に対向する他辺部１８には、第二のシート１５ｂの一辺部１９、又は第三のシート１５ｃの一辺部２０を接合しうる面ファスナー２１ａが他辺部１８に平行に隣接して設けられている。
また、図２（ａ）、図３及び図４に示すように、第一のシート１５ａの表面部１６には、第一のシート１５ａ、第二のシート１５ｂ、第三のシート１５ｃを、夫々、適宜接合して構成した平面長方形薄板状の家屋被覆シート１０を、長さ方向に沿って接合しうる面ファスナー２２ａが外縁部２３に沿って平行に隣接して設けられている。
また、図２（ａ）に示すように、第一のシート１５ａの裏面部２４には、面ファスナー２２ａと接合しうる面ファスナー２２ｂが、外縁部２５から所定寸法内方へ離間して、外縁部２５に沿って平行に設けられている。
【００３３】
また、図２（ｂ）に示すように、第二のシート１５ｂの裏面部２６には、第一のシート１５ａに設けられた面ファスナー２１ａと接合しうる面ファスナー２１ｂが、外縁部２７に沿って平行に隣接して設けられている。図２（ｂ）に示すように、第二のシート１５ｂに係る面ファスナー２１ａ、２２ａ、２２ｂは、第一のシート１５ａと同一の構成を有している。
【００３４】
また、図２（ｃ）に示すように、第三のシート１５ｃは、第一のシート１５ａとは反対側の他辺部側隅部１２ｃに、夫々、孔部１４、１４が形成されており、孔部１４、１４間の間隔寸法Ｌ２は、第一のシート１５ａの孔部１４、１４間の間隔寸法Ｌ２と同一の寸法を有している。図２（ｃ）に示すように、第三のシート１５ｃに係る面ファスナー２１ｂ、２２ａ、２２ｂについては、第二のシート１５ｂと同一の構成を有している。
【００３５】
また、図５に示すように、本実施の形態に係る孔部１４には、ゴムで形成された取付部２８が付設されている。取付部２８は、中央孔部２９と、中央孔部２９に連設され、放射状に形成された切込部３０、３０・・・と、切込部３０、３０・・・に連設された周辺孔部３１、３１・・・とを有している。
【００３６】
以下、第一の実施の形態に係る家屋被覆シート１０の作用について、添付図面を用いて説明する。
図３に示すように、本実施の形態に係る家屋被覆シート１０にあっては、第一のシート１５ａの他辺部１８に設けられた面ファスナー２１ａと、第二のシート１５ｂの一辺部１９に設けられた面ファスナー２１ｂとを接合する。次に、接合した第二のシート１５ｂの面ファスナー２１ａと、他の第二のシート１５ｂの面ファスナー２１ｂとを接合する。
順次、これを繰り返し、図１（ａ）に示すように、家屋１００の一方側に垂直に立設された足場を構成する第一の柱状足場部材１０３、１０３・・・と家屋１００の他方側に垂直に立設された足場を構成する第二の柱状足場１０４、１０４・・・との間の間隔寸法Ｌ３と略同一の長さ寸法となるまで、シート１５、１５・・・を接合することにより、家屋被覆シート１０を形成する。
【００３７】
さらに、図４に示すように、第一のシート１５ａ、第二のシート１５ｂ、第三のシート１５ｃを、夫々、適宜接合して構成した平面長方形薄板状の家屋被覆シート１０の外縁部２３に沿って設けられた面ファスナー２２ａと、他の家屋被覆シート１０の外縁部２５に沿って設けられた面ファスナー２２ｂとを接合する。
順次、これを繰り返し、図１（ａ）に示すように、家屋１００の一方側に垂直に立設された足場の長さ寸法Ｌ４と略同一の長さ寸法となるまで、家屋被覆シート１０、１０・・・を接合する。
【００３８】
以上のように接合した本実施の形態に係る家屋被覆シート１０、１０・・・は、図１（ａ）に示すように、孔部１４、１４・・・を、家屋１００に垂直に立設された足場を構成する柱状足場部材１０３、１０４に挿通させることができる。
その結果、家屋被覆シート１０が足場１０１に固定され、被覆シート本体部１１が家屋１００の上方に展張されるので、塗装工事中の家屋を雨雪から守ることができる。
従って、天候によらず家屋の塗装工事をすることができる家屋被覆シートを提供することができる。
【００３９】
また、図３及び図４に示すように、本実施の形態に係る家屋被覆シート１０にあっては、第一のシート１５ａ、第二のシート１５ｂ、第三のシート１５ｃを、夫々、接合することによって、家屋被覆シート１０を構成することができるので、家屋の大きさに応じて家屋被覆シート１０の大きさを変更して使用することができる。
【００４０】
また、図３及び図４に示すように、本実施の形態に係る家屋被覆シート１０にあっては、シート１５ａ、１５ｂ、１５ｃを面ファスナー２１ａ及び２１ｂ、２２ａ及び２２ｂによって接合する場合には、シート１５ａ、１５ｂ、１５ｃの一部と他のシート１５ａ、１５ｂ、１５ｃの一部とが重なりあう。
その結果、本実施の形態に係る家屋被覆シート１０を塗装工事中の家屋１００の上方に展張した場合には、雨や雪が降った際にシート１５、１５・・・の接合部から雨雪が入り込むといった事態を防止することができる。
【００４１】
また、図１（ａ）に示すように、本実施の形態に係る固定部１３、１３・・・は、被覆シート本体部１１の隅部１２、１２・・・に開口された孔部１４、１４・・・として形成され、家屋１００に垂直に立設された足場１０１を構成する柱状足場部材１０３、１０３・・・に挿通しうるように構成されているので、固定が簡単で、かつ、容易な家屋被覆シートを提供することができる。
【００４２】
また、図１（ａ）に示すように、本実施の形態に係る家屋被覆シート１０にあっては、孔部１４、１４間の間隔寸法Ｌ２が一の柱状足場部材１０３ａと一の柱状足場部材１０３ａに隣接する他の柱状足場部材１０３ｂとの間隔寸法Ｌ１と同一の寸法を有するように構成されている。
従って、孔部１４、１４間の間隔寸法Ｌ２は、労働安全衛生規則で規定された柱状足場部材１０３ａ、１０３ｂ間の間隔寸法Ｌ１に適合するので、家屋の大きさによらず、あらゆる塗装工事現場において使用することができる家屋被覆シートを提供することができる。
【００４３】
また、図３及び図４に示すように、シート１５ａ、１５ｂ、１５ｃを、夫々、適宜接合して構成した平面長方形薄板状の家屋被覆シート１０において、外縁部２３に沿って設けられた面ファスナー２２ａと、他の家屋被覆シート１０の外縁部２５に沿って設けられた面ファスナー２２ｂとを接合する際、家屋被覆シート１０に設けられた孔部１４、１４と、他の家屋被覆シート１０に設けられた孔部１４、１４とが、長さ方向に沿って重なるように構成される。
従って、本実施の形態に係る家屋被覆シート１０にあっては、重なった孔部１４、１４を柱状足場部材１０３、１０４・・・に挿通固定することができるので、家屋被覆シート１０、１０・・・を柱状足場部材１０３、１０４・・・に確実に固定することができる。
【００４４】
また、図５に示すように、本実施の形態に係る孔部１４には、ゴムで形成された取付部２８が付設され、取付部２８は放射状に形成された切込部３０を有しているので、孔部１４を柱状足場部材１０３に挿通させた場合には、切込部３０が柱状足場部材１０３によって押し拡げられる。
この際、切込部３０がゴムで形成されているので、ゴムの弾性力により切込部３０が柱状足場部材１０３に押し付けられ、その結果、家屋被覆シート１０を柱状足場部材１０３に対して確実に固定することができる。
【００４５】
また、本実施の形態に係る家屋被覆シート１０は、透明な合成樹脂製であるので、塗装工事を行う一般的な住宅に設置して使用するにあたり、従来の大掛かりで重い部材を有する装置に比して、低コストで安全に設置できる家屋被覆シートを提供することができる。
また、塗装工事によって家屋被覆シート１０に塗料が付着した場合であっても、本実施の形態に係る家屋被覆シート１０にあっては、合成樹脂製であるため、洗浄が容易である。さらに、場合によっては、低コストであるため、家屋被覆シート１０を使い捨てることが可能となる。
また、さらに、本実施の形態に係る家屋被覆シート１０にあっては、透明であるため、塗装工事において、太陽光が家屋被覆シート１０を透過することによって塗装した色が異なった色合いに見えるといった事態を防止することができる。
【００４６】
以上の構成を有する第一の実施の形態に対して、図１（ｂ）に示すように、本考案の第二の実施の形態においては、家屋１００の一方側に垂直に立設された足場を構成する第一の柱状足場部材１０５、１０５・・・は、家屋１００の他方側に垂直に立設された足場を構成する第二の柱状足場部材１０６、１０６・・・よりも高く形成されている。
その結果、図１（ｂ）に示すように、第二の実施の形態に係る家屋被覆シート３２は、第一の柱状足場部材１０５、１０５・・・と第二の柱状足場部材１０６、１０６・・・との間に傾斜した状態で展張されている点が第一の実施の形態に係る家屋被覆シート１０との相違点であり、他の構成は第一の実施の形態に係る家屋被覆シート１０と同一である。
【００４７】
第二の実施の形態に係る家屋被覆シート３２にあっては、図１（ｂ）に示すように、第一の柱状足場部材１０５と第二の柱状足場部材１０６との間に傾斜した状態で、家屋１００の上方に展張されるので、その結果、雨や雪が降った場合には、傾斜した状態で展張された家屋被覆シート３２に沿って下方へ流れ落ち、雨や雪が家屋被覆シート３２に溜まるといった事態を防止することができる。
【００４８】
本実施の形態に係る固定部１３、１３、１３、１３は、被覆シート本体部１１の隅部１２、１２、１２、１２に開口された孔部１４、１４、１４、１４として形成され、家屋１００に垂直に立設された足場１０１を構成する柱状足場部材１０３、１０３・・・に挿通しうるように構成されている場合を例に説明したが、前記構成に限定されず、家屋の塗装工事現場に立設された足場の上端部に着脱可能に固定されるように構成されていればよい。
また、本実施の形態に係る被覆シート本体部１１の複数の隅部１２ａ、１２ａには、夫々、孔部１４、１４が開設され、隣接する孔部１４、１４は、家屋１００の一方側に垂直に立設された足場を構成する一の柱状足場部材１０３ａと一の柱状足場部材１０３ａに隣接する他の柱状足場部材１０３ｂとの間隔Ｌ１と略同一の幅寸法Ｌ２に開設されている場合を例に説明したが、前記構成に限定されない。
また、本実施の形態に係る家屋被覆シート１０は、合成樹脂製であって、平面正方形薄板状に形成され、互いに接合可能な複数枚の方形状のシート１５ａ、１５ｂ、１５ｃ・・・から構成されている場合を例に説明したが、前記構成に限定されない。
【産業上の利用可能性】
【００４９】
本考案は、塗装工事中の家屋を雨雪から守る家屋被覆シートに広く適用可能であり、産業上利用可能性を有している。
【符号の説明】
【００５０】
１０、３２：家屋被覆シート
１１：被覆シート本体部
１２：隅部
１３：固定部
１４：孔部
１５ａ、１５ｂ、１５ｃ：方形状のシート
１６：表面部
１７、１９、２０：一辺部
１８：他辺部
２１、２２：面ファスナー
２３、２５、２７：外縁部
２４、２６：裏面部
２８：取付部
２９：中央孔部
３０：切込部
３１：周辺孔部
１００：家屋
１０１：足場
１０２：上端部
１０３、１０４、１０５、１０６：柱状足場部材
Ｌ１、Ｌ２、Ｌ３：間隔寸法
Ｌ４：長さ寸法
【図１】
0003197548.tif 000003
【図２】
0003197548.tif 000004
【図３】
0003197548.tif 000005
【図４】
0003197548.tif 000006
【図５】
0003197548.tif 000007